(57)【要約】【課題】作業効率を向上する。【解決手段】第２コネクタ１１６が設けられた基板１１０、および、基板が取り付けられた基板ケース１２０を含む基板ユニットと、基板ケースが固定される壁部７を有し、基板ケースおよび壁部７（囲繞壁部２００ｃ）で囲繞された収容空間に基板を収容する基板収容部と、基板収容部の壁部に形成され、基板に設けられたコネクタを露出させる第２の露出孔２０４と、を備える。音響空間１３にはスピーカユニットが設けられ、スピーカユニットに接続されたケーブルの一端がコネクタに接続される。【選択図】図７
2018126394.tif 000002
【特許請求の範囲】
【請求項１】
コネクタが設けられた基板、および、前記基板が取り付けられた基板ケースを含む基板ユニットと、
前記基板ケースが固定される壁部を有し、前記基板ケースおよび前記壁部で囲繞された収容空間に前記基板を収容する基板収容部と、
前記基板収容部の前記壁部に形成され、前記基板に設けられたコネクタを露出させる露出孔と、
前記露出孔に連続する音響空間を囲繞形成するケーシングと、
前記音響空間に設けられたスピーカユニットと、
を備え、
前記音響空間には、前記スピーカユニットと前記コネクタとを接続するケーブルが配されることを特徴とする遊技機。
【請求項２】
挿通孔が形成されたシール部材をさらに備え、
前記コネクタは、前記シール部材の前記挿通孔、および、前記露出孔の双方に挿通される請求項１に記載の遊技機。
【発明の詳細な説明】
【技術分野】
【０００１】
本発明は、基板を備える遊技機に関する。
【背景技術】
【０００２】
一般的な遊技機においては、遊技の進行を司る主制御基板や、演出を制御するための副制御基板をはじめとする種々の基板が設けられている。これらの基板は、例えば特許文献１に示されるように、コネクタやケーブルを介して、電源や、液晶表示器、演出役物装置、ランプ、スピーカ等、演出用の電子部品等に接続されている。
【先行技術文献】
【特許文献】
【０００３】
【特許文献１】特開２０１５−１６４６７２号公報
【発明の概要】
【発明が解決しようとする課題】
【０００４】
上記の基板に粉塵等が堆積するとショート等の不具合が生じるおそれがある。そのため、遊技機においては、基板がケース等に収容されており、外部に基板が剥き出しとならない設計がなされている。ところが、遊技機に何らかの不具合が生じた際に、基板を交換する場合があるが、上記のように基板がケース等に収容されていると、交換作業が煩雑となり、作業効率が低下するおそれがある。
【０００５】
本発明は、作業効率を向上することができる遊技機を提供することを目的とする。
【課題を解決するための手段】
【０００６】
上記課題を解決するために、本発明の遊技機は、コネクタが設けられた基板、および、前記基板が取り付けられた基板ケースを含む基板ユニットと、前記基板ケースが固定される壁部を有し、前記基板ケースおよび前記壁部で囲繞された収容空間に前記基板を収容する基板収容部と、前記基板収容部の前記壁部に形成され、前記基板に設けられたコネクタを露出させる露出孔と、前記露出孔に連続する音響空間を囲繞形成するケーシングと、前記音響空間に設けられたスピーカユニットと、を備え、前記音響空間には、前記スピーカユニットと前記コネクタとを接続するケーブルが配されることを特徴とする。
【０００７】
また、挿通孔が形成されたシール部材をさらに備え、前記コネクタは、前記シール部材の前記挿通孔、および、前記露出孔の双方に挿通されるとよい。
【発明の効果】
【０００８】
本発明によれば、作業効率を向上することができる。
【図面の簡単な説明】
【０００９】
【図１】枠体の斜視図である。
【図２】幕板部の拡大図である。
【図３】ケーシングを取り外した状態の幕板部を示す図である。
【図４】ケーシングを取り外した状態の幕板部の三面図である。
【図５】基板ユニットの組立図である。
【図６】基板ユニットの分解斜視図である。
【図７】壁部の正面側斜視図である。
【図８】壁部の背面側斜視図である。
【発明を実施するための形態】
【００１０】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１１】
図１は、枠体１の斜視図である。遊技機は、略矩形状に組まれた四辺によって囲繞空間が形成される枠体１を備えている。枠体１のうち、正面視で左側に位置する左辺の上部および下部には、それぞれヒンジ３が設けられている。ヒンジ３は、枠体１から正面側に突出しており、ヒンジ３により、不図示の扉体が枠体１に対して開閉自在に軸支されている。したがって、枠体１のうち、正面視で右側に位置する右辺は、扉体の開放端となる。
【００１２】
詳しい説明は省略するが、扉体には遊技盤が設けられており、遊技盤の正面には、遊技球が流下する遊技領域が形成されている。また、遊技盤の正面には、種々のランプや、演出用の可動役物装置が設けられている。一方、遊技盤の背面には、遊技の進行制御を行う主制御基板や、演出の制御を行う副制御基板等、種々の基板が設けられている。遊技盤は、扉体が枠体１に対して閉じられた状態において、枠体１の四辺によって囲繞された上記の囲繞空間に位置することとなる。
【００１３】
また、枠体１は、ヒンジ３よりも下方に位置する幕板部５を備える。幕板部５は、枠体１の下辺を構成し、左辺と右辺とを繋ぐ壁部７と、壁部７および左辺、右辺よりも正面側に突出するケーシング９と、を備えている。また、幕板部５には、演出用の音声や、異常を報知する報知音等が出力されるスピーカユニット１１が設けられている。
【００１４】
図２は、幕板部５の拡大図であり、図３は、ケーシング９を取り外した状態の幕板部５を示す図であり、図４は、ケーシング９を取り外した状態の幕板部５の三面図である。なお、図２〜図４では、枠体１の左辺および右辺を省略しており、図４では、スピーカユニット１１を取り外した状態を示している。図２に示すように、ケーシング９は、略長方形状の化粧面９ａを備えており、化粧面９ａから背面側に向けて四辺を屈曲させている。ケーシング９は、壁部７の正面側にビス止めされるが、ケーシング９が壁部７に取り付けられた状態では、図３に示すように、ケーシング９および壁部７によって囲繞された音響空間１３が形成される。つまり、幕板部５は、中空状に形成されていると言える。
【００１５】
スピーカユニット１１は、幕板部５のうち、幅方向の中央よりも左辺側に設けられており、音声が出力される出力部１１ａを、音響空間１３内に位置させている。ケーシング９には、図２に示すように、スピーカユニット１１の出力部１１ａに対向する位置にスピーカ孔９ｂが形成されており、このスピーカ孔９ｂが、網状の被覆部材１５によって被覆されている。また、ケーシング９の化粧面９ａのうち、幅方向の中央よりも右辺側には、貫通孔９ｃが設けられている。
【００１６】
出力部１１ａから出力された音声は、スピーカ孔９ｂに設けられた被覆部材１５を介して、遊技機の正面側に出力される。また、出力部１１ａの背面側から出力された音声は、幕板部５に設けられた音響空間１３に伝搬するとともに、貫通孔９ｃから遊技機の正面側に出力される。これにより、幕板部５は、スピーカユニット１１と相俟って、低音を増強するバスレフ型スピーカを構成するものとなる。
【００１７】
ここで、スピーカユニット１１は、音声を出力制御するための基板（以下、「音声用基板」という）にケーブルを介して接続される。図示は省略するが、このケーブルは、一端がスピーカユニット１１に接続されており、音響空間１３内に配される。一方で、音声用基板は、枠体１に開閉自在に軸支される扉体の背面に設けられている。そのため、スピーカユニット１１を音声用基板に接続するためには、上記のケーブルの他端側を、音響空間１３の外部に引き出さなければならない。このとき、ケーブルを引き出すための孔が幕板部５に形成されると、音響空間１３の密閉性が低下し、音響効果が低下してしまう。
【００１８】
そこで、遊技機においては、一般的に、ケーブルを引き出す孔をロウ付けし、隙間を埋める方法が採られている。しかしながら、遊技機では、何らかの不具合が生じた際に、部品を交換することがあり、ロウ付けがなされてしまうと、交換する部品単位が広がり、交換作業の作業効率が低下するとともに、コストが上昇してしまう。本実施形態では、音響効果の低下を抑制しつつ、交換作業の作業効率を向上するべく、幕板部５に基板ユニット１００を設け、この基板ユニット１００を介して、ケーブルと音声用基板とを接続している。
【００１９】
図５は、基板ユニット１００の組立図であり、図６は、基板ユニット１００の分解斜視図である。基板ユニット１００は、基板１１０および基板ケース１２０を含んで構成される。基板１１０は、薄板状の基板本体１１０ａを備えており、基板本体１１０ａに、第１コネクタ１１２が設けられている。第１コネクタ１１２は、コネクタ本体１１２ａを有し、このコネクタ本体１１２ａが基板本体１１０ａに固定されている。コネクタ本体１１２ａは、フランジ部１１２ｂと、フランジ部１１２ｂから突出する突出部１１２ｃと、を備えている。突出部１１２ｃには嵌合穴が形成されており、この嵌合穴の内部に第１の端子１１４が設けられている。
【００２０】
また、基板本体１１０ａには、第１コネクタ１１２よりも下方に、第２コネクタ１１６が設けられている。第２コネクタ１１６は、コネクタ本体１１６ａを有し、このコネクタ本体１１６ａが基板本体１１０ａに固定されている。コネクタ本体１１６ａには嵌合穴が形成されており、この嵌合穴の内部に第２の端子１１８が形成されている。第１コネクタ１１２および第２コネクタ１１６は、いずれも基板本体１１０ａの正面に設けられており、基板本体１１０ａ内に形成される電気回路により互いに接続されている。
【００２１】
基板ケース１２０は、薄板形状のケース本体１２０ａを備えている。図６に示すように、ケース本体１２０ａには、正面側に起立する起立部１２０ｂおよびリブ１２０ｃがそれぞれ２つずつ設けられている。起立部１２０ｂの先端にはネジ穴１２０ｄが開口している。また、基板１１０には、基板本体１１０ａの背面から、第１コネクタ１１２のフランジ部１１２ｂの正面まで貫通する挿通孔１１０ｂが２つ形成されている。基板本体１１０ａの正面側から挿通孔１１０ｂに挿通させたビスを、起立部１２０ｂのネジ穴１２０ｄに螺合させることにより、基板１１０が基板ケース１２０に組み付けられる。
【００２２】
また、基板１１０が基板ケース１２０に組み付けられた状態では、基板本体１１０ａの背面に、リブ１２０ｃの先端が当接している。なお、基板本体１１０ａには、位置決め孔１１０ｃが形成されており、リブ１２０ｃの先端には、位置決め孔１１０ｃに挿通されるピン１２０ｅが設けられている。これらピン１２０ｅおよび位置決め孔１１０ｃにより、基板１１０を基板ケース１２０に組み付ける際の位置決め機能がもたらされる。
【００２３】
さらに、ケース本体１２０ａの下部には、２つの組み付け孔１２０ｆが形成されている。一方、基板本体１１０ａの下部には、幅方向に切り欠かれた切り欠き部１１０ｄが２つ設けられている。基板１１０が基板ケース１２０に組み付けられた状態では、切り欠き部１１０ｄにより、組み付け孔１２０ｆが正面側に露出している。また、ケース本体１２０ａの上端には、基板１１０側に突出する突片１２０ｇが設けられている。突片１２０ｇは、突出部１１２ｃの上方に位置し、突片１２０ｇと突出部１１２ｃとの間には間隙が形成されている。また、突片１２０ｇの先端には爪部１２０ｈが形成されている。
【００２４】
以上のように、基板１１０、および、基板１１０が取り付けられた基板ケース１２０を含んで構成される基板ユニット１００は、幕板部５の壁部７に組み付けられる。
【００２５】
図７は、壁部７の正面側斜視図であり、図８は、壁部７の背面側斜視図である。なお、図７および図８においては、ケーシング９を省略している。また、以下では、図７に示すように、幕板部５を構成する壁部７のうち、上記の音響空間１３の上方を囲繞する部分を上面壁部７ａとし、上面壁部７ａに対向し、音響空間１３の下方を囲繞する部分を下面壁部７ｂとし、上面壁部７ａと下面壁部７ｂとを繋ぎ、音響空間１３の背面側を囲繞する部分を背面壁部７ｃとして説明する。
【００２６】
図８に示すように、壁部７には、上面壁部７ａおよび背面壁部７ｃに跨って、基板収容部２００が設けられている。基板収容部２００は、上面壁部７ａよりも上方に位置する上側正面壁部２００ａと、上面壁部７ａよりも下方に位置し、背面壁部７ｃで構成される下側正面壁部２００ｂと、を備えている。上側正面壁部２００ａは、下側正面壁部２００ｂよりも正面側に位置しており、上側正面壁部２００ａと下側正面壁部２００ｂとの間には段差が設けられている。
【００２７】
上側正面壁部２００ａには、第１の露出孔２０２が形成されており、下側正面壁部２００ｂには、第２の露出孔２０４が形成されている。また、下側正面壁部２００ｂには、図８に示すように、取り付け孔２０６が２つ設けられており、基板ケース１２０の背面側から組み付け孔１２０ｆに挿通したビスを取り付け孔２０６に螺合させることで、基板ケース１２０が基板収容部２００に固定される。また、この状態では、突片１２０ｇに設けられた爪部１２０ｈが、第１の露出孔２０２に係止される。
【００２８】
ここで、基板収容部２００は、上側正面壁部２００ａおよび下側正面壁部２００ｂの側辺から背面側に起立し、四辺を囲繞する囲繞壁部２００ｃを備えている。基板収容部２００に基板ケース１２０が固定された状態では、上側正面壁部２００ａ、下側正面壁部２００ｂ、囲繞壁部２００ｃ、および、基板ケース１２０で囲繞された収容空間２０８が形成され、この収容空間２０８に基板１１０が収容される。
【００２９】
また、この状態では、基板１１０に設けられた第１コネクタ１１２が第１の露出孔２０２に挿通され、第２コネクタ１１６が第２の露出孔２０４に挿通される（図３参照）。つまり、基板収容部２００に基板ユニット１００が組み付けられた状態では、第１コネクタ１１２が、上側正面壁部２００ａよりも正面側に位置し、第２コネクタ１１６が、下側正面壁部２００ｂよりも正面側に位置している。換言すれば、第１の露出孔２０２は、第１コネクタ１１２（第１の端子１１４）をアクセス可能（接続可能）に露出させ、第２の露出孔２０４は、第２コネクタ１１６（第２の端子１１８）をアクセス可能（接続可能）に露出させている。
【００３０】
上記したように、扉体に設けられる遊技盤の背面には、スピーカユニット１１に接続する音声用基板が設けられている。音声用基板には、ドッキングコネクタが設けられており、枠体１に対して扉体を閉じると、このドッキングコネクタが第１コネクタ１１２（第１の端子１１４）に嵌合する。つまり、第１コネクタ１１２は、枠体１に対して扉体を閉じたときに、扉体側に設けられた音声用基板上のドッキングコネクタに嵌合する位置に設けられている。これにより、扉体を開閉するたびにケーブルやコネクタを脱着するといった煩雑な作業が不要となる。
【００３１】
また、図７に示すように、第２の露出孔２０４は、背面壁部７ｃに形成されており、スピーカユニット１１が設けられる音響空間１３に連続する。換言すれば、第２の露出孔２０４は、音響空間１３に開口している。上記したように、音響空間１３には、一端がスピーカユニット１１に接続された不図示のケーブルが設けられ、このケーブルの他端が、第２コネクタ１１６の第２の端子１１８に接続される。これにより、スピーカユニット１１は、基板１１０を経由して、扉体に設けられた音声用基板に接続されることとなる。つまり、基板１１０は、スピーカユニット１１を音声用基板に接続するための中継基板として機能することとなる。
【００３２】
ここで、上記のとおり、第２コネクタ１１６が挿通される第２の露出孔２０４は、音響空間１３に開口している。そのため、第２の露出孔２０４と第２の端子１１８との間に隙間が形成されると、音響空間１３の密閉性が低下し、音響効果が低下してしまう。そこで、本実施形態では、音響空間１３の密閉性を確保するべく、図６〜図８に示すように、シール部材２１０が設けられている。
【００３３】
シール部材２１０は、例えば発砲ゴム等の弾性体で構成される薄板形状のシール本体２１０ａを有している。シール本体２１０ａには、第２コネクタ１１６が挿通される挿通孔２１０ｂが形成されている。基板ユニット１００が基板収容部２００に組み付けられた状態では、第２コネクタ１１６は、第２の露出孔２０４、および、シール部材２１０の挿通孔２１０ｂの双方に挿通される。このとき、下側正面壁部２００ｂと基板１１０との間でシール部材２１０が押圧され、第２の露出孔２０４の隙間を埋めるようにシール部材２１０が弾性変形する。これにより、第２の露出孔２０４の周囲に形成される隙間が閉塞され、音響空間１３の密閉性が向上し、音響効果の低下を抑制することができる。
【００３４】
なお、上記したように、基板１１０の第１コネクタ１１２とドッキングコネクタとの接続は、枠体１に対して扉体を閉じることでなされる。そのため、遊技機の取り扱いによっては、基板１１０が破損するおそれがある。この場合には、まず、基板ユニット１００を基板収容部２００から取り外して、第２コネクタ１１６からケーブルを抜く。そして、このケーブルを新たな基板ユニット１００の第２コネクタ１１６に差し込み、基板収容部２００に基板ユニット１００を組み付ければよい。このように、本実施形態では、基板１１０の交換作業が簡素化され、作業効率を向上することができる。
【００３５】
また、基板１１０と基板ケース１２０とがユニット化されているため、基板１１０に直接触れることなく、基板１１０の交換作業を行うことができ、基板１１０の汚れや損傷を防ぐことができる。さらには、基板ユニット１００が基板収容部２００に組み付けられた状態では、基板収容部２００および基板ケース１２０によって囲繞された収容空間２０８内に基板１１０が位置している。そのため、基板１１０に粉塵等が堆積しにくく、ショート等の不具合が生じるおそれが低い。つまり、本実施形態によれば、不具合が生じるおそれを低減しつつも、基板１１０の交換作業を簡素化し、作業効率を向上することができる。
【００３６】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００３７】
例えば、上記実施形態では、基板１１０に第１コネクタ１１２および第２コネクタ１１６を設け、基板１１０を中継基板として用いる場合について説明した。しかしながら、例えば、基板１１０を、スピーカユニット１１に接続する音声用基板としてもよいし、音声用基板を、扉体ではなく枠体１に設けてもよい。この場合には、第１コネクタ１１２や第１の露出孔２０２は不要となる。
【００３８】
また、上記実施形態では、幕板部５に設けられたスピーカユニット１１を基板１１０に接続する場合について説明したが、基板１１０に接続する対象はスピーカユニット１１に限らず、何らかの電子部品が基板１１０に接続されればよい。また、上記実施形態では、基板ユニット１００および基板収容部２００を枠体１の幕板部５に設けることとしたが、基板ユニット１００および基板収容部２００を設ける場所はこれに限らず、例えば、上記の扉体や遊技盤に設けてもよい。
【００３９】
いずれにしても、コネクタが設けられた基板、および、基板が取り付けられた基板ケースを含む基板ユニットと、基板ケースが固定される壁部を有し、基板ケースおよび壁部で囲繞された収容空間に基板を収容する基板収容部と、基板収容部の壁部に形成され、基板に設けられたコネクタを露出させる露出孔と、を備えれば、各構成の用途や配置、形状は適宜設計変更可能である。
【符号の説明】
【００４０】
７  壁部
９  ケーシング
１１  スピーカユニット
１３  音響空間
１００  基板ユニット
１１０  基板
１１６  第２コネクタ（コネクタ）
１２０  基板ケース
２００  基板収容部
２０４  第２の露出孔（露出孔）
２０８  収容空間
２１０  シール部材
２１０ｂ  挿通孔
【図１】
2018126394.tif 000003
【図２】
2018126394.tif 000004
【図３】
2018126394.tif 000005
【図４】
2018126394.tif 000006
【図５】
2018126394.tif 000007
【図６】
2018126394.tif 000008
【図７】
2018126394.tif 000009
【図８】
2018126394.tif 000010